(57)【特許請求の範囲】
【請求項１】
浴室壁面に横方向に並んで設置される複数の支持具と、支持具に支持されて浴室壁面に取り付けられるカウンタ本体を備えた浴室用のカウンタにおいて、支持具の上面に凹部が設けられており、複数の支持具に跨って支持具の凹部に補強材が嵌合されて設けられており、カウンタ本体に設けられたカウンタ天板の下面にリブが設けられ、リブが補強材に当接することにより、補強材がカウンタ天板と支持具で挟み込まれて固定されており、補強材の上面に凸部が設けられており、凸部はリブ間の長さと略同じ長さで形成され、凸部がリブ間に嵌め込まれて補強材がカウンタ天板に固定されていることを特徴とするカウンタ。
【請求項２】
請求項１に記載のカウンタにおいて、カウンタ本体の横方向の略端部には端部リブが設けられており、補強材には端部リブに当接する端部リブ当接部が設けられており、端部リブ当接部が段差形状に形成されていることを特徴とするカウンタ。
【請求項３】
請求項１または２に記載のカウンタにおいて、複数の支持具のうち、カウンタの端部に設置された支持具とその隣の支持具が補強材で接続され、更にカウンタ中央側には補強材は接続されていないことを特徴とするカウンタ。
【請求項４】
請求項１から３のいずれかに記載のカウンタにおいて、補強材にはカウンタ本体と平面で接する補助支持部が設けられていることを特徴とするカウンタ。
【発明の詳細な説明】
【技術分野】
【０００１】
本発明は、カウンタに関し、特に浴室の壁面に設置されるカウンタに関するものである。
【背景技術】
【０００２】
従来、カウンタ内部に補強材を設ける構成は知られている。例えば、天板を合成樹脂のインジェクション等で成形し、その裏面に長尺の補強部材及び短尺の補強部材を取着した構成が公知である（特許文献１参照）。
【０００３】
また、浴室カウンタにおいて、略五角形をしたステーを浴室壁面に当接させてネジにより固定し、このステーの上面に天板を固定し剛性を得る構成が公知である（特許文献２参照）。
【０００４】
さらに、浴室壁面に固定する壁固定板とこの壁固定板より水平方向に延設され横板とを備えた浴室カウンタ支持材において、横板の上面にカウンタ天板固定用溝が形成されている構成が公知である（特許文献３参照）。
【先行技術文献】
【特許文献】
【０００５】
【特許文献１】特許第３６３７４７９号公報
【特許文献２】特許第４７７７０８９号公報
【特許文献３】特許第４０２６０７０号公報
【発明の概要】
【発明が解決しようとする課題】
【０００６】
カウンタの天板の横方向端部において、重量物を載せたり、人が立ち上がる際に手をついたりすると、撓みが生じたり、天板と補強材の間でガタツキが生じる可能性があるが、このような問題は、上記従来のカウンタでは天板の裏面に支持具を備えても、解決することができない。
【０００７】
本発明は、上記従来の問題を解決することを目的とし、カウンタの端部で生じる撓みや天板と補強材の間で発生するガタツキを抑制できる構成のカウンタを実現することを課題とする。
【課題を解決するための手段】
【０００８】
本発明は上記課題を解決するために、浴室壁面に横方向に並んで設置される複数の支持具と、支持具に支持されて浴室壁面に取り付けられるカウンタ本体を備えた浴室用のカウンタにおいて、支持具の上面に凹部が設けられており、複数の支持具に跨って支持具の凹部に補強材が嵌合されて設けられており、カウンタ本体に設けられたカウンタ天板の下面にリブが設けられ、リブが補強材に当接することにより、補強材がカウンタ天板と支持具で挟み込まれて固定されており、補強材の上面に凸部が設けられており、凸部はリブ間の長さと略同じ長さで形成され、凸部がリブ間に嵌め込まれて補強材がカウンタ天板に固定されていることを特徴とするカウンタを提供する。
【０００９】
複数の支持具のうち、カウンタの端部に設置された支持具とその隣の支持具が補強材で接続され、更にカウンタ中央側には補強材は接続されていないことが好ましい。
【００１２】
カウンタ本体の横方向の略端部には端部リブが設けられており、補強材には端部リブに当接する端部リブ当接部が設けられていることが好ましい。
【００１３】
端部リブ当接部が段差形状に形成されていることが好ましい。
【００１４】
補強材にはカウンタ本体と平面で接する補助支持部が設けられていることが好ましい。
【発明の効果】
【００１５】
本発明は、浴室壁面に横方向に並んで設置される複数の支持具と、支持具に支持されて浴室壁面に取り付けられるカウンタ本体と、を備えた浴室用のカウンタにおいて、支持具の上面に凹部が設けられており、複数の支持具に跨って支持具の凹部に補強材が嵌合されて設けられていることで、補強材をガタツキなく確実に固定することが可能となった。 
【図面の簡単な説明】
【００１６】
【図１】本発明に係るカウンタの実施例の全体構成を示す斜視図である。
【図２】上記実施例のカウンタ本体の天板に支持具を取り付けた状態を示す斜視図である。
【図３】（ａ）は上記実施例の支持具が補強材で接続されて成る支持具集合体の２組を示す斜視図であり、（ｂ）はカウンタ本体の下面のリブを示す下方から見た斜視図である。
【図４】上記実施例の補強材を示す図であり、（ａ）は斜視図であり、（ｂ）は側面図であり、（ｃ）は（ｂ）の端部の拡大図である。
【図５】上記実施例の支持具に補強材を取り付けた状態を示す斜視図であり、（ｂ）は補強材でカウンタ天板を受け止めている構成を示す斜視図である。
【図６】上記実施例の支持具に変形例１の補強材を取り付けた状態を示す斜視図であり、（ｂ）は変形例１の補強材でカウンタ天板を受け止めている構成を示す斜視図である。
【図７】上記実施例の支持具に変形例２の補強材を取り付けた状態を示す斜視図であり、（ｂ）は変形例２の補強材でカウンタ天板を受け止めている構成を示す斜視図である。
【図８】上記実施例の支持具に変形例３の補強材を取り付けた状態を示す斜視図であり、（ｂ）は変形例３の補強材でカウンタ天板を受け止めている構成を示す斜視図である。
【図９】上記実施例の支持具に変形例４の補強材を取り付けた状態を示す斜視図であり、（ｂ）は変形例４の補強材でカウンタ天板を受け止めている構成を示す斜視図である。
【図１０】上記実施例の変形例５の補強材を示す斜視図であり、（ｂ）は変形例５の補強材でカウンタ天板を受け止めている構成をカウンタ天板の下方か見た斜視図である。
【発明を実施するための形態】
【００１７】
本発明に係るカウンタを実施するための形態を実施例に基づき図面を参照して、以下説明する。
【実施例】
【００１８】
本発明に係るカウンタの実施例を図１〜９において説明する。この実施例のカウンタ１は、図１に示すように、浴室壁面２に沿って設けられる浴室用のカウンタである。本明細書では、浴室壁面２を正面視し、浴室壁面２に沿う左右の方向を横方向と言い、浴室内に向かう手前側及びその逆側を前方及び後方と言う。
【００１９】
この実施例のカウンタ１は、図１に示すように、浴室壁面２に沿って水平に取り付けられて使用される。カウンタ１は、浴室壁面２に横方向に並んで間隔をおいて設置される複数の支持具３と、支持具３に支持されて浴室壁面２に取り付けられるカウンタ本体４を備えている。
【００２０】
カウンタ本体４は、図１に示すように、浴室壁面２から前方水平に張り出すように設けられるカウンタ天板８と、カウンタ天板８の前側から浴室壁面２に向けて設けられたカウンタエプロン９とを備えている。
【００２１】
カウンタ天板８は、その下面には、図２、図３（ｂ）に示すように、リブ１２が形成され、強度が付与されている。このリブ１２（下面リブ）は、カウンタ天板８の下面から垂直に突出し前後方向に延びる複数の縦リブ１３と、カウンタ天板８の下面から下方かつ後方に向けて斜めに突出し横方向に延びる横リブ１４と、が互いに交差し、全体として格子状に形成されている。
【００２２】
またカウンタ天板８は、図１、図２、図５（ｂ）に示すように、その横方向の左右の略端部には、それぞれ端部リブが設けられている。本実施例では、カウンタ天板８の左右の端部に、それぞれ下方にフランジ状に折り返されて端部リブ１７が形成されている。
【００２３】
なお、図示はしないが、カウンタ天板８の左右の端面からそれぞれ内側（中央側）に少し入った箇所に、カウンタ天板８の下面から垂直に突出し前後方向に延びる端部リブを設けてもよい。
【００２４】
さらに、カウンタ天板８は、その前端部には、図１、図２、図５（ｂ）に示すように、下方かつ後方に傾斜してフランジ状に折り返されて前端リブ１８が形成されている。これら端部リブ１７及び前端リブ１８によって、カウンタ天板８の左右の端部及び前端部の強度が増すように構成されている。
【００２５】
カウンタエプロン９は、図１に示すように、その前端から下方かつ後方に延びる前面傾斜部２１と、前面傾斜部２１から後方に水平に延びる底面水平部２２と、から成る。カウンタエプロン９は、その前面傾斜部２１の上端部をカウンタ天板８の前端リブ１８と後記する支持具３との間に嵌め込み、底面水平部２２を後記する支持具３の支持部２６にネジ止めして取り付けられる。
【００２６】
支持具３は、図３（ａ）に示すように、前後方向に全体的に水平に延びる載置部２５と、載置部２５の前端から下方かつ後方に延び全体として略く字状に形成された支持部２６と、を備えている。載置部２５の後端には、垂直下方に延びる差し込み部２７が形成されている。支持部２６の後端には垂直上方に延びるネジ止め部２８が形成されている。
【００２７】
支持具３の上面、より具体的には支持具３の載置部２５の上面には、図３（ａ）、図５（ａ）に示すように、凹部２９が設けられている。そして、図２、図３（ａ）に示すように、複数の支持具３に跨って支持具３の凹部２９に補強材３４が嵌合されて設けられている。補強材３４は支持具３の凹部２９に嵌合してから、その底壁３８をネジで支持具３に固定する構成とすることが好ましい。
【００２８】
複数の支持具３のうち、カウンタ１の端部に設置された支持具とその隣の支持具３が補強材３４が嵌合されて接続され、カウンタ１の中央側には補強材３４は接続されていない。本実施例では、図２、図３（ａ）に示すように、２つの支持具３に対して１本の補強材３４を嵌合し、２つの支持具３が連結されて成る支持具集合体３５の２組を、カウンタ天板８の横方向の両端部に対応して設けている。
【００２９】
図示はしないが、カウンタ天板８の横方向全長にわたって間隔をおいて設けた複数の支持具３の凹部２９に、カウンタ天板８の横方向の全長に延びる一本の補強材を嵌合して設ける構成としてもよい。要するに、カウンタ１の中央側にも、補強材３４を延ばして設ける構成としてもよい。
【００３０】
補強材３４は、剛性を有する材料と形状で形成され、その長手方向（横方向）に対する垂直断面が、凹字型、角型、Ｌ型、Ｔ型等に形成されている。本実施例では、図４（ａ）、（ｂ）に示すように、底壁３８と前後壁３９から成り、垂直断面が凹字型の金属等の部材であり、その長手方向の一端部には、段差状の端部リブ当接部４０が形成されている。
【００３１】
段差状の端部リブ当接部４０は、図４に示すように、補強材３４の一端部において、前後壁３９がそれぞれ横方向外側に向けて切り欠かれ、端部リブ１７の下端が収まるような切り欠き部４１として形成されている。なお、補強材３４に端部リブ当接部４０を設けずに、端部リブ１７側に段差状の補強材当接部を設ける逆の構造としてもよい。
【００３２】
凹部２９は、図３（ａ）に示すように、支持具３の載置部２５の比較的前端側の近くに設けられていることが好ましい。その理由は、支持具３で支持するカウンタ天板８は、その左右両端部寄りかつ前端部寄りの箇所に、撓みなどが比較的大きく生じやすい。その補強対策として、載置部２５の比較的前端側に補強材３４を嵌合する凹部２９を設けた方が、より効果的であるからである。
【００３３】
載置部２５の上面には、図３（ａ）、図５（ａ）に示すように、前後２箇所に、係合部４５が形成されている。係合部４５は、前方傾斜面４６と後方傾斜面４７を有し側面視で三角状であり、上方に突出するように形成されている。係合部４５の横幅（横方向の長さ）は、縦リブ１３の設置間隔Ｓ（図３（ｂ）参照）より若干小さく形成されている。
【００３４】
その理由は、支持具３をカウンタ天板８の下面に取り付ける際に、横方向に僅かに移動して、補強材３４の端部リブ当接部４０が、天板の端部リブ１７に確実に当接するように調整代を設け、微調整可能とするためである。図５（ａ）、（ｂ）に示すように、係合部４５の前方傾斜面４６の左右側縁には、ネジ通し用の切り欠き４８が形成されている。
【００３５】
（作用）
以上の構成から成るカウンタ１の構成をより明確にするために、その組立、作用等を以下説明する。
【００３６】
支持具３をカウンタ天板８に取り付ける場合は、図３（ａ）に示すような２組の支持具集合体３５を、図２に示すように、カウンタ天板８の横方向の両端側に対応して下面に固定する。
【００３７】
この取り付けに際しては、載置部２５の前後に形成された２つの係合部４５（図５（ａ）、（ｂ）参照）を、それぞれカウンタ天板８の下面の横リブ１４に係合し、カウンタ天板８に対して支持具３の前後方向の位置決めを行い、支持具３が前後方向にずれたり、ガタついたりしないようにする。
【００３８】
さらに、図５（ｂ）に示すように、カウンタ天板８の端部リブ１７の下端が補強材３４の端部リブ当接部４０に当接するように、支持具３を横方向に僅かに移動して微調整する。
【００３９】
本実施例では、前記したとおり、２組の支持具集合体３５を、カウンタ天板８の横方向の両端部に対応して設け、カウンタ１の中央側には補強材３４は接続されていない構成とした。
【００４０】
これによって、カウンタ天板８の左右の端部に対して、２組の支持具集合体３５の補強材３４を、それぞれ独自に移動して位置決めできる調整代が設けられるので、補強材３４の位置決め調整が容易となる。このように補強材３４の位置決めをしてから、支持具３のネジ通し用の切り欠き４８を通して、ネジをカウンタ天板８に形成されたネジ孔に螺着して固定する。                        
【００４１】
すると、カウンタ天板８の下面に形成されたリブ１２が補強材３４に当接し、支持具３の凹部２９に嵌合して設けられた補強材３４は、カウンタ天板８と支持具３の間に挟み込まれて、ガタつきなく確実に固定される。しかも、補強材３４の端部リブ当接部４０は、カウンタ天板８の端部リブ１７の下端に当接しているので、補強材３４は、横方向外側への飛び出しやずれが防止される。
【００４２】
カウンタ天板８に取り付けられた複数の支持具３は、それぞれその差し込み部２７を、図１に示すような予め浴室壁面２に取り付けた取り付け用部材５１（特許第５５０４９１８号公報参照）と浴室壁面２の間に上方から挿入し、さらにネジ止め部２８を、取り付け用部材５１にネジ止めして固定する。
【００４３】
そして、カウンタエプロン９の前面傾斜部２１の上端部をカウンタ天板８の前端端リブ１８と支持具３との間に嵌め込み、底面水平部２２を支持具３の支持部２６の下面にネジ止めして、カウンタエプロン９を図１に示すように取り付ける。以上の工程によって、カウンタ１は、浴室壁面２に取り付けられる。
【００４４】
本発明のカウンタ天板８は、特にその横方向の両端側の部分を複数の支持具３で支持し、しかも、それら複数の支持具３の前端寄りの部分に、複数の支持具３を跨るように、横方向に延びる補強材３４を取り付けた構成としたので、カウンタ天板８の全体の撓みを抑制するとともに、特にカウンタ天板８の両端部でかつ前側寄りの部分の局所的撓み、反り、垂れ等の抑制を、より効果的行うことが可能である。
【００４５】
さらに、補強材３４の端部リブ当接部４０が、カウンタ天板８の端部リブ１７の下端に当接し下方から受けて支持する構成としたので、補強材３４の位置決めを容易にすると共に、補強材３４の横方向外側への飛び出しを防止するだけでなく、カウンタ天板８の端部の強度を増加し、カウンタ天板８の両端部の局所的撓みの抑制をより効果的に行うことが可能である。
【００４６】
従来のカウンタ天板の両端部でしかも前側寄りの部分は、重量物を載せたり、人が立ち上がる際に手をついたりすると、最も大きい撓みが発生するという問題があったが、本発明では上記構成とすることで、そのような問題を解決することができた。
【００４７】
通常、カウンタ天板８の横方向の端部と、浴室壁面２または浴槽エプロン（図示せず）との間に、防水モールを取り付けるが、カウンタ１の横方向の端部が撓んだりすると、防水モールが切れたり、剥がれる等破損を生じるおそれがある。しかし、本発明のカウンタ天板８は、その端部における撓みを抑制するので、防水モールの破損を防止できる。
【００４８】
（変形例の概要）
補強材の５つの変形例を以下、説明する。補強材は、カウンタ本体４、具体的には、カウンタ天板８の端部リブ１７に下方から接して受け止めるが、以下に説明する補強材の変形例１〜４は、カウンタ天板８を受け止める面積をより大きくすることで、カウンタ天板８の全体の撓みの抑制、及びカウンタ天板８の横方向の両端部かつ前部などの局所的撓みの抑制を、より効果的行うものである。
【００４９】
また、補強材の変形例５は、上記実施例の補強材３４と略同じ構成であるが、その上面に凸部を設け、これを縦リブ間に嵌め込み補強材の横方向のズレを防止するものである。
【００５０】
（変形例１）
図６は、変形例１の補強材５４を説明する図である。この変形例１の補強材５４は、上記実施例の補強材３４と略同じ構成であり、端部リブ当接部４０を有するが、図６（ａ）に示すように、さらにその前壁３９に固定された補助支持部５５を備えている。
【００５１】
この補助支持部５５は、前壁３９に固定する垂直の取り付け部５６と、取り付け部の前方かつ上方に向かう傾斜部５７と、傾斜部５７の上端から前方に向かう水平な受け部５８と、を備えている。
【００５２】
このような構成の補助支持部５５を有する変形例１の補強材５４をカウンタ１の内部に組み込む場合は、図６（ｂ）に示すように、上記実施例と同様に、端部リブ当接部４０をカウンタ天板８の端部リブ１７に当接するとともに、補助支持部５５の受け部５８をカウンタ天板８の下面に当接するように、補強材５４を、支持具３の凹部２９に嵌合して取り付ける。
【００５３】
（変形例２）
図７は、変形例２の補強材６１を説明する図である。この変形例２の補強材６１は、上記実施例の補強材３４と略同じ構成であるが、端部リブ当接部として、図７（ａ）に示すように、補強材６１の端部において、前後壁３９の上部からそれぞれ前後水平に向かうように折り返されて形成された受け支持部６２を備えている。
【００５４】
このような構成の受け支持部６２を有する補強材６１をカウンタ１の内部に組み込む場合は、図７（ｂ）に示すように、受け支持部６２の水平上面でカウンタ天板８の端部リブ１７を下方から平面で受けて支持するように、補強材６１は、支持具３の凹部２９に嵌合して取り付ける。
【００５５】
（変形例３）
図８は、変形例３の補強材６５を説明する図である。この変形例３の補強材６５は、その端部において、図８（ａ）に示すように、その前壁３９から断面矩形の受け支持部６６が前方水平に向かうように設けられている。
【００５６】
このような構成の受け支持部６６を備えた変形例３の補強材６５を、カウンタ１の内部に組み込む場合は、図８（ｂ）に示すように、受け支持部６６の水平上面でカウンタ天板８の端部リブ１７を下方から受けて支持するように、補強材６５は、支持具３の凹部２９に嵌合して取り付ける。
【００５７】
（変形例４）
図９は、変形例４の補強材７０を説明する図である。この変形例４の補強材７０は、その端部において、図９（ａ）に示すように、その前後壁３９から、それぞれ断面矩形の受け支持部７１が前方及び後方水平に向かうように設けられている。
【００５８】
このような構成の変形例４の補強材７０をカウンタ１の内部に組み込む場合は、図９（ｂ）に示すように、受け支持部７１の水平上面でカウンタ天板８の端部リブ１７を下方から受けて支持するように、補強材７０は、支持具３の凹部２９に嵌合して取り付ける。
【００５９】
（変形例５）
図１０は、変形例５の補強材８０を説明する図である。この変形例５の補強材８０は、前記実施例の補強材３４と略同じ構成であるが、図１０（ａ）に示すように、その上面に凸部８１が設けられている構成を特徴とする。
【００６０】
具体的には、補強材８０は、前後壁３９の上面に、補強材８０の長手方向に間隔をおいて、２つの凸部８１が形成されている。なお、変形例５では、凸部８１は、２つであるが、少なくとも１つ形成されている必要がある。
【００６１】
凸部８１の横方向の長さ（補強材８０の長手方向の凸部８１の長さであり、凸部８１の横幅に相当する）は、カウンタ天板８の下面に形成された互いに隣接された縦リブ１３の間に嵌め込み可能であり（図１０（ｂ）参照）、かつ補強材８０が横方向に移動しないように、縦リブ１３の設置間隔Ｓ（図３（ｂ）参照）と略同じ長さで形成されている。
【００６２】
このような構成の補強材８０をカウンタ１の内部に組み込む場合は、図１０（ｂ）に示すように、凸部８１を互いに隣接する２つの縦リブ１４間に嵌め込んだ状態で、支持具３を取り付ける。これによって、補強材８０は、カウンタ天板８に固定される。
【００６３】
このように凸部８１を設けることで、補強材８０は、縦リブ１４によって横方向に移動しないように規制されて位置決めされる。この結果、補強材８０は、横方向への移動によるズレが防止される。補強材８０の下面には貫通孔８２が設けられており、万が一補強材８０内に水が侵入したときに水が抜ける構造となっている。
【００６４】
以上、本発明に係るカウンタを実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００６５】
本発明に係るカウンタは上記のような構成であるから、浴室用のカウンタに使用されるが、壁から前方に張り出して設けられる各種用途のカウンタにも適用可能である。
【符号の説明】
【００６６】
１  カウンタ                                         
２  浴室壁面                                         
３  支持具                                           
４  カウンタ本体                                     
８  カウンタ天板                                     
９  カウンタエプロン                                 
１２  リブ                                           
１３  縦リブ                                         
１４  横リブ                                         
１７  端部リブ                                       
１８  前端リブ                                       
２１  前面傾斜部                                     
２２  底面水平部                                     
２５  支持具の載置部                                 
２６  支持具の支持部                                 
２７  支持具の差し込み部                             
２８  支持具のネジ止め部                             
２９  支持具の凹部                                   
３４  補強材                                         
３５  支持具集合体                                   
３８  補強材の底壁                                   
３９  補強材の前後壁                                 
４０  補強材の端部リブ当接部                         
４１  端部リブ当接部を構成する切り欠き部             
４５  支持具の係合部                                 
４６  前方傾斜面                                     
４７  後方傾斜面                                     
４８  支持具の係合部の切り欠き                       
５１  取り付け受け具                                 
５４  補強材                                         
５５  補助支持部                                     
５６  補助支持部の取り付け部                         
５７  補助支持部の傾斜部                             
５８  補助支持部の受け部                             
６１  補強材                                         
６２  受け支持部                                     
６５  補強材                                         
６６  受け支持部                                     
７０  補強材                                         
７１  受け支持部 
８０  補強材
８１  補強材の凸部
８２  補強材下面の貫通孔
【図１】
0006600165.tif 000002
【図２】
0006600165.tif 000003
【図３】
0006600165.tif 000004
【図４】
0006600165.tif 000005
【図５】
0006600165.tif 000006
【図６】
0006600165.tif 000007
【図７】
0006600165.tif 000008
【図８】
0006600165.tif 000009
【図９】
0006600165.tif 000010
【図１０】
0006600165.tif 000011